(57)【要約】【課題】ワークにおける異なる２面に対して容易に接着剤を塗布することが可能な接着剤塗布装置を提供する。【解決手段】ワーク１０を保持する保持部２２と、保持部２２の回動軸Ｒ１に沿う方向に延びるガイドレール２３と、ガイドレール２３に対してスライド移動可能に取り付けられたスライド部２６と、スライド部２６に固定され、ワーク１０に対して接着剤を吹き付けることが可能なスプレー２７と、塗布面１１がスプレー２７側を向く第１姿勢で保持部２２を固定するロック機構３０と、スライド部２６に押圧されることでロック機構３０による保持部２２の固定を解除する押圧部６１と、を備え、第１姿勢の保持部２２は、ロック機構３０による固定が解除されることで自重によって回動し、塗布面１２がスプレー２７側を向く第２姿勢となる構成であることに特徴を有する。【選択図】図３
2018122195.tif 000002
【特許請求の範囲】
【請求項１】
ベース部と、
接着剤がそれぞれ塗布される第１塗布面及び第２塗布面を有するワークを保持すると共に、前記ベース部に対して回動可能に設けられた保持部と、
前記ベース部に設けられ、前記保持部の回動軸に沿う方向に延びるガイドレールと、
前記ガイドレールに対して、前記保持部の回動軸に沿う方向にスライド移動可能に取り付けられたスライド部と、
前記スライド部に固定され、前記ワークに対して接着剤を吹き付けることが可能なスプレーと、
前記第１塗布面が前記スプレー側を向く第１姿勢で前記保持部を固定するロック機構と、
前記ガイドレールの一端側までスライド移動された前記スライド部又は前記スプレーに押圧されることで前記ロック機構による前記保持部の固定を解除する押圧部と、を備え、
前記第１姿勢の前記保持部は、前記ロック機構による前記保持部の固定が解除されることで自重によって回動し、前記第２塗布面が前記スプレー側を向く第２姿勢となる構成である接着剤塗布装置。
【請求項２】
前記ロック機構は、
前記保持部に連結された第１ベルトプーリと、
前記第１ベルトプーリに対して前記スプレー側に配される第２ベルトプーリと、
前記第１ベルトプーリと前記第２ベルトプーリの間に巻き掛けられる伝達ベルトと、
前記第２ベルトプーリに形成された嵌合部に嵌合することで、前記第１ベルトプーリ、前記第２ベルトプーリ及び前記保持部の回動を規制する突起部と、を備え、
前記押圧部が押圧されることで、前記突起部が前記嵌合部から抜ける方向に変位する結果、前記ロック機構による前記保持部の固定が解除される構成である請求項１に記載の接着剤塗布装置。
【請求項３】
前記第１塗布面及び前記第２塗布面はそれぞれ前記回動軸に沿って延びる長手状をなす請求項１又は請求項２に記載の接着剤塗布装置。
【発明の詳細な説明】
【技術分野】
【０００１】
本発明は、接着剤塗布装置に関する。
【背景技術】
【０００２】
従来、接着剤塗布装置として、スプレーを用いて、塗布対象であるワークに接着剤を吹き付けるものが知られている（下記特許文献１）。
【先行技術文献】
【特許文献】
【０００３】
【特許文献１】特開２０１０−２４７０７３号公報
【発明の概要】
【発明が解決しようとする課題】
【０００４】
ところで、立体形状をなすワークにおいては、塗布面が一つのワークについて２面以上設定される場合がある。この場合には、作業者が各塗布面に対して、スプレーの吹付角度を変える必要があり、困難な作業となる。
【０００５】
本発明は上記のような事情に基づいて完成されたものであって、ワークにおける異なる２面に対して容易に接着剤を塗布することが可能な接着剤塗布装置を提供することを目的とする。
【課題を解決するための手段】
【０００６】
上記課題を解決するために、本発明の接着剤塗布装置は、ベース部と、接着剤がそれぞれ塗布される第１塗布面及び第２塗布面を有するワークを保持すると共に、前記ベース部に対して回動可能に設けられた保持部と、前記ベース部に設けられ、前記保持部の回動軸に沿う方向に延びるガイドレールと、前記ガイドレールに対して、前記保持部の回動軸に沿う方向にスライド移動可能に取り付けられたスライド部と、前記スライド部に固定され、前記ワークに対して接着剤を吹き付けることが可能なスプレーと、前記第１塗布面が前記スプレー側を向く第１姿勢で前記保持部を固定するロック機構と、前記ガイドレールの一端側までスライド移動された前記スライド部又は前記スプレーに押圧されることで前記ロック機構による前記保持部の固定を解除する押圧部と、を備え、前記第１姿勢の前記保持部は、前記ロック機構による前記保持部の固定が解除されることで自重によって回動し、前記第２塗布面が前記スプレー側を向く第２姿勢となる構成であることに特徴を有する。
【０００７】
保持部が第１姿勢にある状態で、作業者がスプレー及びスライド部を移動させつつ、スプレーを操作することで、ワークの第１塗布面に接着剤を吹き付けることができる。そして、ガイドレールの一端側までスライド移動されたスライド部（又はスプレー）によって押圧部が押圧されることで、保持部は回動し、第２姿勢となる。これにより、ガイドレールの他端側に向かってスライド部を移動させつつ、スプレーを操作することで、ワークの第２塗布面に接着剤を吹き付けることができる。このように上記構成では、ガイドレールに沿ってスプレーを移動させることで、各塗布面に対して容易に接着剤を塗布することができる。
【０００８】
また、前記ロック機構は、前記保持部に連結された第１ベルトプーリと、前記第１ベルトプーリに対して前記スプレー側に配される第２ベルトプーリと、前記第１ベルトプーリと前記第２ベルトプーリの間に巻き掛けられる伝達ベルトと、前記第２ベルトプーリに形成された嵌合部に嵌合することで、前記第１ベルトプーリ、前記第２ベルトプーリ及び前記保持部の回動を規制する突起部と、を備え、前記押圧部が押圧されることで、前記突起部が前記嵌合部から抜ける方向に変位する結果、前記ロック機構による前記保持部の固定が解除される構成であるものとすることができる。スプレーを用いる場合には、スプレーとワークとの距離を確保することが求められる。このような構成とすれば、伝達ベルトの長さに対応した分だけ、押圧部と保持部との距離、ひいてはスプレーとワークの距離を空けることができる。
【０００９】
また、前記第１塗布面及び前記第２塗布面はそれぞれ前記回動軸に沿って延びる長手状をなすものとすることができる。塗布面が長手状をなす場合には、スプレーの移動量が大きくなり易いことから、接着剤を均一に塗布することはより困難となる。上記構成では、第１塗布面及び第２塗布面の長手方向に沿って、スプレーを移動させることができるので、接着剤を容易に均一に塗布することができる。
【発明の効果】
【００１０】
本発明によれば、ワークにおける異なる２面に対して容易に接着剤を塗布することが可能な接着剤塗布装置を提供することができる。
【図面の簡単な説明】
【００１１】
【図１】本発明の実施形態１に係る接着剤塗布装置を示す斜視図
【図２】ワークを示す断面図（保持部が第１姿勢にある状態）
【図３】ワークを示す断面図（保持部が第２姿勢にある状態）
【図４】ロック解除機構を示す正面図（保持部が第１姿勢にある状態）
【図５】図４において押圧部が押圧された状態を示す図
【図６】ロック解除機構を示す正面図（保持部が第２姿勢にある状態）
【図７】実施形態２に係る接着剤塗布装置においてベースの左右両端部を示す正面図
【図８】左側のロック機構によるロックが解除された状態を示す正面図
【図９】右側のロック機構によるロックが解除された状態を示す正面図
【発明を実施するための形態】
【００１２】
＜実施形態１＞
本発明の実施形態１を図１から図６によって説明する。本実施形態では、接着剤塗布装置２０として、ワーク１０（図１参照）に接着剤を塗布するものを例示する。ワーク１０は、例えば、車両用内装材を構成する軟質材であり、図１に示すように、長手状をなしている。ワーク１０は、図２に示すように、接着剤がそれぞれ塗布される長手状の２つの塗布面１１，１２を有している。塗布面１１，１２には、接着剤によって、例えば表皮材（図示せず）が貼り付けられる。
【００１３】
接着剤塗布装置２０は、図１に示すように、板状をなすベース部２１と、ワーク１０を保持する保持部２２と、ガイドレール２３と、ガイドレール２３を支持する一対の支持部２４，２５と、ガイドレール２３に取り付けられたスライド部２６と、スライド部２６に固定され、ワーク１０に対して接着剤を吹き付けることが可能なスプレー２７と、ベース部２１から支持部２４，２５の各々を覆う形で立ち上がる板状部材４１，４２と、を備える。
【００１４】
保持部２２は、図１及び図２に示すように、ワーク１０の形状に沿う長手状をなしており、ワーク１０が嵌合可能な凹部２２Ａを有している。ワーク１０は、凹部２２Ａに嵌合されることで保持される構成となっている。保持部２２は、ベース部２１に設けられた一対の脚部２８，２９の間に配され、保持部２２の両端部において、脚部２８，２９に対して回動可能に設けられている。このため、保持部２２及びワーク１０は、ワーク１０の長手方向に沿う軸を回動軸Ｒ１として回動可能となっている。この結果、保持部２２は、塗布面１１（第１塗布面）がスプレー２７側を向く第１姿勢（図２で示す姿勢）と、塗布面１２（第２塗布面）がスプレー２７側を向く第２姿勢（図３で示す姿勢）との間で回動可能となっている。また、図３に示すように、保持部２２には、第２姿勢において塗布面１２をスプレー２７側に露出させるための切欠部２２Ｂが形成されている。
【００１５】
ガイドレール２３は、図１に示すように、回動軸Ｒ１に沿う方向に延びている。スライド部２６は、ガイドレール２３に取り付けられる被取付部２６Ａと、スプレー２７を挟む形で配される一対の板状部２６Ｂ，２６Ｂと、スプレー２７が取り付けられる軸部２６Ｃと、を備える。
【００１６】
スプレー２７には、図示しない空気の供給源及び接着剤の供給源がそれぞれ接続されている。スプレー２７は、例えば、トリガー２７Ａを有するスプレーガンとされ、作業者がトリガー２７Ａを操作することで、吹出口２７Ｂから接着剤を噴射することが可能な構成となっている。スプレー２７は、接着剤の吹出口２７Ｂをワーク１０に向けて配置されている。なお、スプレー２７は、軸部２６Ｃに対して回動可能に取り付けられており、吹出口２７Ｂの向きをある程度調整可能な構成となっている。
【００１７】
塗布面１１，１２は、それぞれ回動軸Ｒ１に沿って延びる長手状をなしている。そして、スライド部２６は、ガイドレール２３に対して、回動軸Ｒ１に沿う方向にスライド移動可能に取り付けられている。ガイドレール２３に対するスライド部２６のスライド量は、ワーク１０の長手方向の長さとほぼ同じ値（又は大きい値）で設定されている。これにより、第１姿勢では、スプレー２７の吹出口２７Ｂとワーク１０の塗布面１１との対向間隔を一定としつつ、スプレー２７をスライド移動させることで、塗布面１１の全面に亘って接着剤を塗布することができ、第２姿勢では、スプレー２７の吹出口２７Ｂとワーク１０の塗布面１２との対向間隔を一定としつつ、スプレー２７をスライド移動させることでき、塗布面１２の全面に亘って接着剤を塗布することができる。
【００１８】
また、接着剤塗布装置２０は、ロック機構３０と、ロック解除機構６０と、を備える。ロック機構３０は、保持部２２を第１姿勢で固定する機能を担っている。ロック解除機構６０は、ロック機構３０による保持部２２の固定を解除する機能を担っており、固定が解除された保持部２２は自重により回動し、第２姿勢となる。次に、ロック機構３０及びロック解除機構６０の構成について説明する。
【００１９】
ロック機構３０は、図２及び図４に示すように、保持部２２に連結された第１ベルトプーリ３１と、第１ベルトプーリ３１に対してスプレー２７側（図２の左側）に距離を空けて配される第２ベルトプーリ３２と、第１ベルトプーリ３１と第２ベルトプーリ３２の間に巻き掛けられる伝達ベルト３３と、第２ベルトプーリ３２に形成された孔部３２Ａ（嵌合部）に嵌合する突起部３４Ｂを有する突出部材３４と、を備える。
【００２０】
また、ロック解除機構６０は、図４に示すように、支持部２４からスプレー２７側に突出する形で設けられた押圧部６１と、シャフト６２，６３と、シャフト６２，６３と押圧部６１とを繋ぐ連結部６４と、シャフト６２，６３と突出部材３４を繋ぐ連結部６５と、を備える。なお、上述した支持部２４は、箱状をなしており、第２ベルトプーリ３２、突出部材３４、連結部６５は、支持部２４の内部に収容されている。
【００２１】
第１ベルトプーリ３１は、例えば、脚部２８に対して回動可能に取り付けられている。第１ベルトプーリ３１の回動軸は、例えば、上述した回動軸Ｒ１と同軸である。第２ベルトプーリ３２は、例えば、支持部２４を構成する壁部２４Ａに対して回動可能に取り付けられている。また、第２ベルトプーリ３２には、これと連動して回動する形でレバー６７が取り付けられている。シャフト６２，６３は、壁部２４Ａを貫通しつつ、壁部２４Ａに対して進退可能に取り付けられている。連結部６４は、シャフト６２，６３における右側（スプレー２７側）の両端部を繋ぐ形で設けられ、押圧部６１は、連結部６４からスプレー２７側に突出する形で設けられている。
【００２２】
これにより、押圧部６１はガイドレール２３の一端側（左側）までスライド移動されたスライド部２６に押圧される構成となっている。なお、連結部６４と隣接する板状部材４１には、切欠部４１Ａが形成されており、押圧部６１は、切欠部４１Ａを通じてスプレー２７側に突出されている。また、上側のシャフト６２にはスプリング６２Ａが巻回されている。スプリング６２Ａは、連結部６４と壁部２４Ａの間に介在されており、押圧部６１に対する押圧が解除された後、押圧部６１を元の位置に復帰させる機能を担っている。
【００２３】
連結部６５は、シャフト６２，６３における左側の両端部を繋ぐ形で設けられ、突出部材３４は、連結部６５の下端部から第２ベルトプーリ３２に向かって突出されている。突出部材３４は、筒状の基端部３４Ａと、基端部３４Ａに対して進退可能な突起部３４Ｂと、を有している。第２ベルトプーリ３２の孔部３２Ａは、第２ベルトプーリ３２の回動軸Ｒ２に対して、第２ベルトプーリ３２の径方向に距離を空けて配されている。
【００２４】
このため、突起部３４Ｂが、第２ベルトプーリ３２の孔部３２Ａに嵌合することで、第２ベルトプーリ３２の回動、ひいては第２ベルトプーリ３２と連結された第１ベルトプーリ３１、及び保持部２２の回動が規制される構成となっている。なお、基端部３４Ａの内部には、図示しないスプリングが内蔵されており、突起部３４Ｂは、スプリングによって、突起部３４Ｂの突出側に付勢されている。
【００２５】
次に本実施形態の作用及び効果について説明する。まず、作業者は、保持部２２が第１姿勢にある状態で、スプレー２７をガイドレール２３の右端から左端まで動かしつつ（塗布面１１の面方向に沿って動かしつつ）、ワーク１０の塗布面１１の全面に接着剤を吹き付ける。ガイドレール２３の左端にスプレー２７を移動させると、図５に示すように、押圧部６１が左側の板状部２６Ｂによって押圧される。すると、押圧部６１、連結部６４、シャフト６２，６３、連結部６５が左側に変位する。これにより、突出部材３４（ひいては突起部３４Ｂ）が孔部３２Ａから抜ける方向（図５の左側）に変位する。
【００２６】
これにより、突起部３４Ｂによる第２ベルトプーリ３２の回動規制が解除され、伝達ベルト３３によって第２ベルトプーリ３２と連結されている保持部２２の固定も解除される。第１姿勢にある保持部２２は、その重心（ワーク１０の重さも考慮した重心）が回動軸Ｒ１よりも後側（図２の右側）に配される構成となっている。これにより、保持部２２の固定が解除されると、保持部２２は自重で図２の時計回りに回動し、第２姿勢となる。また、保持部２２の回動に伴って、第２ベルトプーリ３２及びレバー６７も回動する（図６参照）。
ここで、保持部２２の回動角度は、塗布面１１と塗布面１２のなす角度と同じ値で設定されている。なお、本実施形態では、第１姿勢の保持部２２が９０度回動することで第２姿勢となるが、この回動角度に限定されない。
【００２７】
本実施形態では、例えば、図３に示すように、レバー６７がシャフト６３に当接することで、それ以上の回動が規制される結果、保持部２２が第２姿勢で保持される。これにより、ワーク１０の塗布面１２がスプレー２７側に向く形で配される。その後、作業者は、スプレー２７をガイドレール２３の左端から右端まで動かしつつ（塗布面１２の面方向に沿って動かしつつ）、ワーク１０の塗布面１２の全面に接着剤を吹き付ける。なお、本実施形態では、第１姿勢における塗布面１１とスプレー２７の吹出口２７Ｂとの対向間隔、及び第２姿勢における塗布面１２とスプレー２７の吹出口２７Ｂとの対向間隔がほぼ同じ値となるように、保持部２２の回動軸Ｒ１の位置が設定されている。また、第２姿勢において、レバー６７を押し下げることで、保持部２２を第１姿勢に復帰させることができる。
【００２８】
以上のように、保持部２２が第１姿勢にある状態で、作業者がスプレー２７及びスライド部２６を移動させつつ、スプレー２７を操作することで、ワーク１０の塗布面１１に接着剤を吹き付けることができる。そして、ガイドレール２３の一端側に配されている押圧部６１をスプレー２７又はスライド部２６によって押圧することで、保持部２２は回動し、第２姿勢となる。これにより、ガイドレール２３の他端側に向かってスライド部２６を移動させつつ、スプレー２７を操作することで、ワーク１０の塗布面１２に接着剤を吹き付けることができる。このように上記構成では、ガイドレール２３に沿ってスプレー２７を移動（一往復）させることで、各塗布面１１，１２に対して均一且つ容易に接着剤を塗布することができる。
【００２９】
また、ロック機構３０は、保持部２２に連結された第１ベルトプーリ３１と、第１ベルトプーリ３１に対してスプレー２７側に距離を空けて配される第２ベルトプーリ３２と、第１ベルトプーリ３１と第２ベルトプーリ３２の間に巻き掛けられる伝達ベルト３３と、第２ベルトプーリ３２に形成された孔部３２Ａに嵌合することで、第１ベルトプーリ３１、第２ベルトプーリ３２及び保持部２２の回動を規制する突起部３４Ｂと、を備え、押圧部６１が押圧されることで、突起部３４Ｂが孔部３２Ａから抜ける方向に変位する結果、ロック機構３０による保持部２２の固定が解除される構成とされる。スプレー２７を用いる場合には、スプレー２７とワーク１０との距離を確保することが求められる。このような構成とすれば、伝達ベルト３３の長さに対応した分だけ、押圧部６１と保持部２２との距離、ひいてはスプレー２７とワーク１０の距離を空けることができる。
【００３０】
また、塗布面１１及び塗布面１２は、それぞれ回動軸Ｒ１に沿って延びる長手状をなすものとされる。塗布面が長手状をなす場合には、スプレー２７の移動量が大きくなり易いことから、接着剤を均一に塗布することはより困難となる。上記構成では、塗布面１１及び塗布面１２の長手方向に沿って、スプレー２７を移動させることができるので、接着剤を容易に均一に塗布することができる。
【００３１】
＜実施形態２＞
次に、本発明の実施形態２を図７から図９によって説明する。本実施形態では、ロック機構及びロック解除機構をそれぞれ一対備える点が上記実施形態と相違する。なお、上記実施形態と同一部分には、同一符号を付して重複する説明を省略する。本実施形態の接着剤塗布装置１２０は、ベース部２１の左側に、ロック機構３０及びロック解除機構６０が配置され、ベース部２１の右側に、ロック機構１３０及びロック解除機構１６０が配置されている。ロック機構１３０は、図７に示すように、第２ベルトプーリ３２における孔部３２Ａの形成箇所が、ロック機構３０と相違する。ロック機構１３０の孔部３２Ａは、ロック機構３０の孔部３２Ａに対して、第２ベルトプーリ３２の周方向（回動方向）において位置がずれている。なお、ロック解除機構１６０は、ロック解除機構６０に対して左右対称な形状をなしていること以外は同じ構成である。
【００３２】
本実施形態によれば、図７に示すように、第１姿勢では、ロック機構３０の孔部３２Ａに対して突起部３４Ｂが嵌合することで、保持部２２（図示せず）の回動が規制されている。そして、図８に示すように、作業者がスプレー２７を左側（ガイドレール２３の一端側）にスライド移動させることで、上記実施形態と同様に、ロック解除機構６０の押圧部６１が押圧され、保持部２２（図８では図示せず）が第２姿勢になる。保持部２２が第２姿勢にある状態では、ロック機構１３０の孔部３２Ａに対して突起部３４Ｂが嵌合することで、保持部２２が第２姿勢で固定される。
【００３３】
さらに、作業者がスプレー２７を右側（ガイドレール２３の他端側）にスライド移動させつつ、塗布面１２を塗布した後、ロック解除機構１６０の押圧部６１を押圧すると、ロック機構１３０の孔部３２Ａに対する突起部３４Ｂの嵌合が解除される（図９参照）。これにより、保持部２２が自重でさらに回転する。この結果、保持部２２ひいてはワーク１０の姿勢を変え、第１姿勢及び第２姿勢以外の姿勢（第３姿勢）にすることができる。その後、作業者は、スプレー２７を右側から左側に移動させることで、第３姿勢のワーク１０において、スプレー２７と対向する面（塗布面１１，１２とは異なる塗布面）について、接着剤を吹き付けることができる。
【００３４】
＜他の実施形態＞
本発明は上記記述及び図面によって説明した実施形態に限定されるものではなく、例えば次のような実施形態も本発明の技術的範囲に含まれる。
（１）上記実施形態では押圧部６１が板状部２６Ｂによって押圧される構成を例示したが、これに限定されず、例えば、押圧部６１がスプレー２７によって押圧される構成としてもよい。
（２）上記実施形態において、第２ベルトプーリ３２に孔部３２Ａを複数形成することで、複数の異なる姿勢で保持部２２を固定可能な構成としてもよい。
（３）ベース部は板状に限定されず、例えば、直方体形状をなしていてもよい。
（４）上記実施形態では、レバー６７がシャフト６３に当接することで、保持部２２が第２姿勢で保持される構成を例示したが、これに限定されない。例えば、保持部２２側に回動を規制するストッパ部材を設けてもよい。
（５）スプレーは、スプレーガンに限定されず、その態様は適宜変更可能である。
【符号の説明】
【００３５】
１０…ワーク、１１…塗布面（第１塗布面）、１２…塗布面（第２塗布面）、２０，１２０…接着剤塗布装置、２１…ベース部、２２…保持部、２３…ガイドレール、２６…スライド部、２７…スプレー、３０，１３０…ロック機構、３１…第１ベルトプーリ、３２…第２ベルトプーリ、３２Ａ…孔部（嵌合部）、３３…伝達ベルト、３４Ｂ…突起部、６１…押圧部、Ｒ１…保持部の回動軸
【図１】
2018122195.tif 000003
【図２】
2018122195.tif 000004
【図３】
2018122195.tif 000005
【図４】
2018122195.tif 000006
【図５】
2018122195.tif 000007
【図６】
2018122195.tif 000008
【図７】
2018122195.tif 000009
【図８】
2018122195.tif 000010
【図９】
2018122195.tif 000011